(57)【要約】【課題】１つのコネクタハウジングに複数種類の電線の端末部が取り付けられている場合に、電線を同一種類毎に分別できるようにする。【解決手段】ワイヤーハーネス１０は、コネクタハウジング１１の端子収容室１２に挿入された第１端子金具２４Ａ、端子収容室１２に挿入された第２端子金具２４Ｂ、第１端子金具２４Ａの後端部に第１ゴム栓３０Ａとともに圧着された第１電線２１Ａ、第１電線２１Ａとは異なる材料が用いられていて第２端子金具２４Ｂの後端部に第２ゴム栓３０Ｂとともに圧着された第２電線２１Ｂ、第１ゴム栓３０Ａの後端部に形成した第１識別部３３Ａと、第１識別部３３Ａとは異なる形態であって第２ゴム栓３０Ｂの後端部に形成された第２識別部３３Ｂとを備える。【選択図】図１
2014031060.tif 000002
【特許請求の範囲】
【請求項１】
内部に複数の端子収容室が形成されたコネクタハウジングと、
後方から前記端子収容室に挿入された第１端子金具と、
前記第１端子金具の後端部に圧着されて前記コネクタハウジングの後方へ導出された第１電線と、
前記第１電線の前端部に外嵌され、前記第１電線とともに前記第１端子金具の後端部に圧着された第１ゴム栓と、
後方から前記端子収容室に挿入された第２端子金具と、
前記第１電線とは異なる材料が用いられており、外径が前記第１電線とほぼ同じ寸法であって、前記第２端子金具の後端部に圧着されて前記コネクタハウジングの後方へ導出された第２電線と、
前記第２電線の前端部に外嵌され、前記第２電線とともに前記第２端子金具の後端部に圧着された第２ゴム栓と、
前記第１ゴム栓の後端部に形成した第１識別部と、
前記第１識別部とは異なる形態であって、前記第２ゴム栓の後端部に形成された第２識別部とを備えていることを特徴とするワイヤーハーネス。
【請求項２】
前記第１ゴム栓及び前記第２ゴム栓の軸線と平行な仮想投影面上において、前記第１識別部と前記第２識別部とが互いに異なる形態であることを特徴とする請求項１記載のワイヤーハーネス。
【請求項３】
前記第１識別部の外径寸法と前記第２識別部の外径寸法とが、互いに相違していることを特徴とする請求項１又は請求項２記載のワイヤーハーネス。
【請求項４】
前記第１識別部の後端の位置と前記第２識別部の後端の位置とが、互いに相違していることを特徴とする請求項１ないし請求項３のいずれか１項に記載のワイヤーハーネス。
【発明の詳細な説明】
【技術分野】
【０００１】
本発明は、ワイヤーハーネスに関するものである。
【背景技術】
【０００２】
特許文献１には、リサイクルの際に容易に分別できるようにしたワイヤーハーネスが開示されている。このワイヤーハーネスは、導体の材質が共通である第１サブハーネスと、導体の材質が第１サブハーネスとは異なる第２サブハーネスとを束ねて構成されている。リサイクルの際には、ワイヤーハーネスを第１サブハーネスと第２サブハーネスとに分離することによって、導体を材質毎に分別することができる。
【先行技術文献】
【特許文献】
【０００３】
【特許文献１】特開２００７−０５９２９８号公報
【発明の概要】
【発明が解決しようとする課題】
【０００４】
上記特許文献１のワイヤーハーネスでは、１つのサブハーネスの端末部が１つのコネクタハウジングに取り付けられているが、これとは異なる形態のワイヤーハーネスとして、１つのコネクタハウジングに、導体の材料が異なる２種類の電線の端末部を取り付けるものも考えられる。このような形態のワイヤーハーネスの場合、特許文献１に記載された方法では、導体の材料が異なる電線を分別することができない。
本発明は上記のような事情に基づいて完成されたものであって、１つのコネクタハウジングに複数種類の電線の端末部が取り付けられている場合に、電線を同一種類毎に分別できるようにすることを目的とする。
【課題を解決するための手段】
【０００５】
上記の目的を達成するための手段として、本発明のワイヤーハーネスは、
内部に複数の端子収容室が形成されたコネクタハウジングと、
後方から前記端子収容室に挿入された第１端子金具と、
前記第１端子金具の後端部に圧着されて前記コネクタハウジングの後方へ導出された第１電線と、
前記第１電線の前端部に外嵌され、前記第１電線とともに前記第１端子金具の後端部に圧着された第１ゴム栓と、
後方から前記端子収容室に挿入された第２端子金具と、
前記第１電線とは異なる材料が用いられており、外径が前記第１電線とほぼ同じ寸法であって、前記第２端子金具の後端部に圧着されて前記コネクタハウジングの後方へ導出された第２電線と、
前記第２電線の前端部に外嵌され、前記第２電線とともに前記第２端子金具の後端部に圧着された第２ゴム栓と、
前記第１ゴム栓の後端部に形成した第１識別部と、
前記第１識別部とは異なる形態であって、前記第２ゴム栓の後端部に形成された第２識別部とを備えているところに特徴を有する。
【発明の効果】
【０００６】
この構成によれば、第１端子金具と第２端子金具を端子収容室に挿入した状態で、第１識別部と第２識別部を目視して比較することで、第１電線と第２電線とを判別することができる。本発明によれば、ゴム栓の後端部の形態の違いに基づいて、第１電線と第２電線を分別することができる。
【図面の簡単な説明】
【０００７】
【図１】実施例１のワイヤーハーネスの断面図
【図２】第１電線の断面図
【図３】第２電線の断面図
【発明を実施するための形態】
【０００８】
本発明のワイヤーハーネスは、
前記第１ゴム栓及び前記第２ゴム栓の軸線と平行な仮想投影面上において、前記第１識別部と前記第２識別部とが互いに異なる形態であってもよい。
この構成によれば、軸線と交差する方向から目視することによって、第１識別部と第２識別部を確実に識別することができる。
【０００９】
本発明のワイヤーハーネスは、
前記第１識別部の外径寸法と前記第２識別部の外径寸法とが、互いに相違していてもよい。
この構成によれば、第１識別部と第２識別部の外径寸法の違いに基づいて、第１電線と第２電線を分別することができる。
【００１０】
本発明のワイヤーハーネスは、
前記第１識別部の後端の位置と前記第２識別部の後端の位置とが、互いに相違していてもよい。
この構成によれば、第１識別部と第２識別部の後端の位置の違いに基づいて、第１電線と第２電線を分別することができる。
【００１１】
＜実施例１＞
以下、本発明を具体化した実施例１を図１〜図３を参照して説明する。本実施例のワイヤーハーネス１０は、１つのコネクタハウジング１１と、第１導電路２０Ａと、第２導電路２０Ｂとを備えて構成されている。尚、以下の説明において、前後方向については、図１の右側を前側ということにする。
【００１２】
コネクタハウジング１１の内部には、コネクタハウジング１１を前後方向に貫通する複数室の端子収容室１２が形成されている。端子収容室１２の前端部近くには、端子収容室１２の内壁に沿って前方へ片持ち状に延出した形態であって、上下方向（後述する端子収容室１２に対する第１端子金具２４Ａ及び第２端子金具２４Ｂの挿入・抜取り方向と交差する方向）へ弾性撓み可能なランス１３が形成されている。端子収容室１２の後端部内周は、円形断面のシール面１４となっている。
【００１３】
第１導電路２０Ａは、第１電線２１Ａと、第１端子金具２４Ａと、第１ゴム栓３０Ａとを備えて構成されている。図２に示すように、第１電線２１Ａは、アルミニウム合金製の第１導体２２Ａを第１絶縁被覆２３Ａで包囲した被覆電線である。第１電線２１Ａの前端部においては、第１端子金具２４Ａと接続するために、第１絶縁被覆２３Ａが除去されて第１導体２２Ａが露出している。
【００１４】
第１端子金具２４Ａは、全体として前後方向に細長く、前端部には第１角筒部２５Ａが形成され、後端部にはオープンバレル状の第１圧着部２６Ａが形成されている。第１圧着部２６Ａは、第１ワイヤバレル部２７Ａと第１インシュレーションバレル部２８Ａとを前後に並べて配置した周知の形態となっている。この第１圧着部２６Ａには、第１電線２１Ａの前端部が圧着により接続されている。このとき、露出した第１導体２２Ａが第１ワイヤバレル部２７Ａに包囲された状態で導通可能に固着される。また、第１電線２１Ａのうち第１絶縁被覆２３Ａで包囲されている部分は、第１インシュレーションバレル部２８Ａに包囲された状態で保持される。第１端子金具２４Ａは、コネクタハウジング１１の後方から端子収容室１２内に挿入され、第１角筒部２５Ａをランス１３に係止させることによって、抜止め状態に保持されている。第１端子金具２４Ａが正しく挿入された状態では、第１電線２１Ａがコネクタハウジング１１の後方へ導出される。
【００１５】
第１ゴム栓３０Ａは、全体として軸線を前後方向に向けた略円筒状をなし、第１電線２１Ａの前端部に外嵌されている。第１ゴム栓３０Ａは、第１シール機能部３１Ａと第１被圧着部３２Ａと第１識別部３３Ａとを一体に形成したものである。第１シール機能部３１Ａの外周には、シール面１４に対して弾性的に密着可能な外周リップ部が形成されている。第１シール機能部３１Ａの内周に形成した周知形態の内周リップ部（図示省略）は、第１絶縁被覆２３Ａの外周に対して液密状に密着している。
【００１６】
第１被圧着部３２Ａは、第１シール部の前端から前方へ延出した形態である。第１被圧着部３２Ａは、第１電線２１Ａを第１圧着部２６Ａに圧着する際に、第１絶縁被覆２３Ａと一緒に第１インシュレーションバレル部２８Ａに圧着される。圧着された状態では、第１被圧着部３２Ａが第１絶縁被覆２３Ａと第１インシュレーションバレル部２８Ａとの間で挟み付けられる。これにより、第１ゴム栓３０Ａが、第１端子金具２４Ａの後端部に対し後方へ延出した形態で一体化（固着）されている。第１端子金具２４Ａが端子収容室１２内に正しく挿入された状態では、第１シール機能部３１Ａの外周リップ部がシール面１４に対して弾性的に密着して、端子収容室１２の後端の開口部が液密状にシールされる。
【００１７】
第１識別部３３Ａは、第１シール機能部３１Ａの後端に繋がっており、第１シール機能部３１Ａと同心の円形をなすフランジ状に形成されている。第１識別部３３Ａの外径は、第１シール機能部３１Ａの外径及びシール面１４の内径よりも大きい。第１端子金具２４Ａを端子収容室１２内に正しく挿入し、第１シール機能部３１Ａがシール面１４に密着した状態では、第１識別部３３Ａが端子収容室１２の後方へ外部に露出する。したがって、第１識別部３３Ａの存在と形態（形状やコネクタハウジング１１の後端面からの突出寸法等）は、第１ゴム栓３０Ａの軸線と交差する方向（左右方向又は上下方向）から目視で確認することが可能である。
【００１８】
第２導電路２０Ｂは、第２電線２１Ｂと、第２端子金具２４Ｂと、第２ゴム栓３０Ｂとを備えて構成されている。図３に示すように、第２電線２１Ｂは、銅合金製（つまり、第１導体２２Ａとは異なる金属材料）の第２導体２２Ｂを第２絶縁被覆２３Ｂで包囲した被覆電線である。第２絶縁被覆２３Ｂの外径寸法と材料と色は、いずれも、第１絶縁被覆２３Ａと殆ど同じ（共通）である。したがって、外観上、第１電線２１Ａと第２電線２１Ｂとを目視で識別することは困難となっている。第２電線２１Ｂの前端部においては、第２端子金具２４Ｂと接続するために、第２絶縁被覆２３Ｂが除去されて第２導体２２Ｂが露出した状態となっている。
【００１９】
第２端子金具２４Ｂは、第１端子金具２４Ａと同一形態であり、全体として前後方向に細長い。第２端子金具２４Ｂの前端部には第２角筒部２５Ｂが形成され、後端部にはオープンバレル状の第２圧着部２６Ｂが形成されている。第２圧着部２６Ｂは、第２ワイヤバレル部２７Ｂと第２インシュレーションバレル部２８Ｂとを前後に並べて配置した周知の形態となっている。この第２圧着部２６Ｂには、第２電線２１Ｂの前端部が圧着により接続されている。このとき、露出した第２導体２２Ｂが第２ワイヤバレル部２７Ｂに包囲された状態で導通可能に固着される。また、第２電線２１Ｂのうち第２絶縁被覆２３Ｂで包囲されている部分は、第２インシュレーションバレル部２８Ｂに包囲された状態で保持される。第２端子金具２４Ｂは、コネクタハウジング１１の後方から端子収容室１２内に挿入され、第２角筒部２５Ｂをランス１３に係止させることによって、抜止め状態に保持されている。第２端子金具２４Ｂが正しく挿入された状態では、第２電線２１Ｂがコネクタハウジング１１の後方へ導出される。
【００２０】
第２ゴム栓３０Ｂは、全体として軸線を前後方向に向けた略円筒状をなし、第２電線２１Ｂの前端部に外嵌されている。第２ゴム栓３０Ｂは、第２シール機能部３１Ｂと第２被圧着部３２Ｂと第２識別部３３Ｂとを一体に形成したものである。第２シール機能部３１Ｂは第１シール機能部３１Ａと同一形態であり、第２シール機能部３１Ｂの外周には、シール面１４に対して弾性的に密着可能な外周リップ部が形成されている。第２シール機能部３１Ｂの内周に形成した周知形態の内周リップ部（図示省略）は、第２絶縁被覆２３Ｂの外周に対して液密状に密着している。
【００２１】
第２被圧着部３２Ｂは、第１被圧着部３２Ａと同一形態であり、第２シール部の前端から前方へ延出している。第２被圧着部３２Ｂは、第２電線２１Ｂを第２圧着部２６Ｂに圧着する際に、第２絶縁被覆２３Ｂと一緒に第２インシュレーションバレル部２８Ｂに圧着される。圧着された状態では、第２被圧着部３２Ｂが第２絶縁被覆２３Ｂと第２インシュレーションバレル部２８Ｂとの間で挟み付けられる。これにより、第２ゴム栓３０Ｂが、第２端子金具２４Ｂの後端部に対し後方へ延出した形態で一体化（固着）されている。第２端子金具２４Ｂが端子収容室１２内に正しく挿入された状態では、第２シール機能部３１Ｂの外周リップ部がシール面１４に対して弾性的に密着して、端子収容室１２の後端の開口部が液密状にシールされる。
【００２２】
第２識別部３３Ｂは、第２シール機能部３１Ｂの後端に繋がっており、第２シール機能部３１Ｂと同心の円形をなす。第２識別部３３Ｂは、第１識別部３３Ａと異なる形態である。つまり、第２識別部３３Ｂの外径は、第１識別部３３Ａの外径よりも小さく、第２シール機能部３１Ｂの外径及びシール面１４の内径よりも小さい。第２端子金具２４Ｂを端子収容室１２内に正しく挿入し、第２シール機能部３１Ｂがシール面１４に密着した状態では、第２識別部３３Ｂが端子収容室１２の後方外部に露出する。このとき、前後方向において、第２識別部３３Ｂの後端は第１識別部３３Ａの後端よりも前方に位置する。つまり、第２識別部３３Ｂのコネクタハウジング１１の後端面から突出寸法は、第１識別部３３Ａの突出寸法よりも小さい。
【００２３】
このように、第１識別部３３Ａと第２識別部３３Ｂは互いに外径寸法が相違しており、第１識別部３３Ａの後端の位置と第２識別部３３Ｂの後端の位置も互いに相違している。したがって、第１識別部３３Ａと第２識別部３３Ｂの形態（形状や大きさやコネクタハウジング１１の後端面からの突出寸法等）の違いは、第１ゴム栓３０Ａ及び第２ゴム栓３０Ｂの軸線と交差する方向（左右方向又は上下方向）から目視によって容易且つ確実に確認することが可能である。
【００２４】
本実施例のワイヤーハーネス１０は、１つのコネクタハウジング１１に、使用材料が一部異なる２種類の電線２１Ａ，２１Ｂの端末部が取り付けられているが、双方の電線２１Ａ，２１Ｂの絶縁被覆２３Ａ，２３Ｂは、材料も色も外径寸法も殆ど同じであって外観上、双方の電線２１Ａ，２１Ｂを識別することはできない。しかし、第１電線２１Ａに外嵌した第１ゴム栓３０Ａの後端部に目視可能な第１識別部３３Ａを形成し、第２電線２１Ｂに外嵌した第２ゴム栓３０Ｂの後端部に目視可能な第２識別部３３Ｂを形成した上で、第１識別部３３Ａと第２識別部３３Ｂを異なる形態とした。
【００２５】
つまり、第１識別部３３Ａの外径寸法と第２識別部３３Ｂの外径寸法は互いに相違しており、第１識別部３３Ａの後端の位置と第２識別部３３Ｂの後端の位置も互いに相違している。これにより、図１に示すように、第１ゴム栓３０Ａ及び第２ゴム栓３０Ｂの軸線と平行な仮想投影面上において、第１識別部３３Ａと第２識別部３３Ｂとが互いに異なる形態となっている。したがって、本実施例では、ゴム栓３０Ａ，３０Ｂの軸線と交差する方向から目視することによって、第１識別部３３Ａと第２識別部３３Ｂの形態の違いを比較して、第１導電路２０Ａと第２導電路２０Ｂを容易且つ確実に識別することができる。これにより、使用材料が一部異なっている第１電線２１Ａと第２電線２１Ｂを分別することができる。
【００２６】
＜他の実施例＞
本発明は上記記述及び図面によって説明した実施例に限定されるものではなく、例えば次のような実施例も本発明の技術的範囲に含まれる。
（１）上記実施例では、第１識別部と第２識別部の断面形状を円形としたが、第１識別部と第２識別部の断面形状は、非円形であってもよい。
（２）上記実施例では、第１識別部の断面形状と第２識別部の断面形状を相似形状（円形）としたが、第１識別部の断面形状と第２識別部の断面形状が互いに異なる形状であっても。
（３）上記実施例では、第１識別部の外径寸法と第２識別部の外径寸法とを相違させたが、第１識別部の外径寸法と第２識別部の外径寸法は同一寸法であってもよい。
（４）上記実施例では、第１識別部の後端の位置と第２識別部の後端の位置とを相違させたが、第１識別部の後端の位置と第２識別部の後端の位置は、前後方向において同一の位置であってもよい。
（５）上記実施例では、電線及びゴム栓の軸線方向と交差する方向に目視したときに、第１識別部と第２識別部の形態の相違を目視判断できるようにしたが、電線及びゴム栓の軸線方向と交差する方向に目視したときの第１識別部と第２識別部の形状及び寸法を同一とし、軸線と平行に後方から目視したときに、第１識別部と第２識別部を識別できるようにしてもよい。
（６）本発明は、導体を絶縁被覆で包囲した単芯線に限らず、導体の外周を絶縁性のコアとシールド層と絶縁性のシースによって順に包囲した形態のシールド電線や、２本の導体をシースで一括して包囲したツイストペア線や、３本以上の導体をシースで一体化した多芯ケーブル等にも適用できる。
（７）上記実施例では、第１導体がアルミ合金製であり、第２導体が銅合金製である場合について説明したが、本発明は、第１導体と第２導体の材料の組み合わせが銅合金とアルミ合金である場合に限らず、他の金属材料の組み合わせである場合にも適用できる。
（８）上記実施例では、第１電線と第２電線の分別基準が導体の材料の違いである場合について説明したが、本発明は、分別基準が、導体の材料の違いである場合に限らず、絶縁被覆の材料の違いである場合や、シールド電線における編組線（シールド層）の材料の違いである場合等にも適用できる。この場合、第１導体と第２導体が同一の材料であってもよい。
（９）上記実施例では、１つのコネクタハウジングに、異なる材料を用いた２種類の電線を取り付ける場合について説明したが、本発明は、１つのコネクタハウジングに３種類以上の電線が取り付けられる場合にも適用できる。
【符号の説明】
【００２７】
１０…ワイヤーハーネス
１１…コネクタハウジング
１２…端子収容室
２１Ａ…第１電線
２１Ｂ…第２電線
２４Ａ…第１端子金具
２４Ｂ…第２端子金具
３０Ａ…第１ゴム栓
３０Ｂ…第２ゴム栓
３３Ａ…第１識別部
３３Ｂ…第２識別部
【図１】
2014031060.tif 000003
【図２】
2014031060.tif 000004
【図３】
2014031060.tif 000005